(57)【要約】【課題】効率的にかつ安定した速度で気体を生成することができる気化器を提供すること。【解決手段】気化器５は、三枚の基板１１，１２，１３をこの順に積み重ねて接合したスタック構造１４を有する。第一基板１１の接合面には、凹部２１が形成され、その凹部２１の底には凹部２３，２３，…が形成されている。第二基板１２には、複数の貫通孔２４，２４，…が形成され、貫通孔２４，２４，…が凹部２３，２３，…に対して一対一の関係で相対している。第三基板１３の接合面には凹部２６が形成されている。凹部２１に混合液が供給されると、混合液が凹部２３の底に流れ落ち、凹部２３の形状に基づいたメニスカスが形成される。薄膜ヒータ３１の熱によって混合液が気化し、気化した混合気が貫通孔２４，２４，…を通じて凹部２６に流動し、排出管３２を通じて改質器６に供給される。【選択図】図２
2005324088.tif 000002
【特許請求の範囲】
【請求項１】
気化器本体に内部空間が形成され、前記内部空間の壁面に複数の凹部が形成されていることを特徴とする気化器。
【請求項２】
前記気化器本体を加熱する加熱手段が前記気化器本体に設けられていることを特徴とする請求項１に記載の気化器。
【請求項３】
液体が流入される内部空間を形成する壁面を有し、前記壁面には、接触している液体にメニスカスを形成する複数の凹部が設けられていることを特徴とする気化器。
【請求項４】
仕切り壁が前記内部空間内に配置され、前記内部空間が前記仕切り壁により二つの空間に仕切られ、前記二つの空間のうちの一方から他方に通じる貫通孔が前記仕切り壁に形成されていることを特徴とする請求項１から３の何れか一項に記載の気化器。
【請求項５】
前記仕切り壁が、前記複数の凹部が形成された壁面に対向していることを特徴とする請求項４に記載の気化器。
【請求項６】
前記貫通孔が前記仕切り壁に複数形成されていることを特徴とする請求項４又は５に記載の気化器。
【請求項７】
前記複数の貫通孔が前記複数の凹部に対して一対一で相対していることを特徴とする請求項６に記載の気化器。
【発明の詳細な説明】
【技術分野】
【０００１】
本発明は、液体を気化する気化器に関する。
【背景技術】
【０００２】
近年では、高いエネルギー利用効率を実現できる燃料電池についての研究・開発が盛んにおこなわれている。燃料電池は、燃料と大気中の酸素とを電気化学的に反応させて化学エネルギーから電気エネルギーを直接取り出すものであり、将来性に富む有望な電源であると位置付けられている。燃料電池に用いる燃料としては水素が挙げられるが、常温で気体であることによる取り扱い・貯蔵に問題がある。そこで、アルコール類及びガソリンといった液体燃料を用いれば液体燃料を貯蔵するためのシステムが比較的小型になるが、燃料と水蒸気を高温に加熱して反応させることによって発電に必要な水素を生成する必要がある。
【０００３】
燃料と水から水素を生成するためには、気化器により燃料と水を気化させた後、気化器から供給された燃料と水の混合気を改質器により水素に改質する（例えば、特許文献１参照）。
【０００４】
一方、複数の基板を接合してなる小型のマイクロリアクタを用いることによって微量の反応を行うことが特許文献２に記載されている。特許文献２に記載されたマイクロリアクタについて簡単に説明すると、まず一方の面に流路となる葛折り状の溝が形成されたポリスチレン製の第一の基板を準備し、この溝に第二の基板で蓋をするように第二の基板を第一の基板に紫外線硬化樹脂で接着することによって、これら二枚の基板の接合部に葛折り状の流路を形成している。このケミカルマイクロリアクタの流路に反応物を流せば、反応物が反応することにより、目的とする生成物又は中間生成物が生成される。
【特許文献１】特開２００４−１８３５７号公報
【特許文献２】特開２００２−１０２６８１号公報
【発明の開示】
【発明が解決しようとする課題】
【０００５】
ところで、マイクロリアクタでは、流路が微小な構造なために比較的少ない熱量でも効率よく流路に伝搬でき、均一な反応を引き起こすことができる利点がある。このようなマイクロリアクタを、水素の改質反応を効率的に行うために改質前に液相の燃料を気相に変換する気化器に応用しようとすると、マイクロリアクタ自体の構造が小型のために熱容量が小さいので細かい温度制御が困難であった。液相から気相に変換する気化反応は流路内の液相と気相との界面である気液界面で発生することになるが、流路自体が微細なため気液界面の面積が小さく、単位時間辺りに気化する量は制限されていた。このようなマイクロリアクタで流路内の温度が不安定に陥り必要以上に高温になってしまうと、気液界面からの気化だけでは加えられた熱を放出できなくなってしまい、蓄積された熱によって気液界面以外に流路内の液相の燃料が不規則に沸騰してしまう。液体内部で生じた気泡は、液体時よりはるかに大きな体積に膨張されているために流路内では急速に圧力が上昇し、流路内の液体を気液界面側へと吹き飛ばしたりして、気液界面の位置や界面面積を不安定にするばかりでなく、単位時間辺り気化器で気化した気体の量を不安定にしていた。
【０００６】
そこで、本発明は、上記のような問題点を解決しようとしてなされたものであり、効率的にかつ安定した速度で気体を生成することができる気化器を提供することを目的とする。
【課題を解決するための手段】
【０００７】
以上の課題を解決するために、請求項１に記載の発明に係る気化器は、気化器本体に内部空間が形成され、前記内部空間の壁面に複数の凹部が形成されていることを特徴とする。
【０００８】
請求項１に記載の発明では、気化器本体内の空間に液体が流入すると、液体が壁面に沿って広がって、更に液体が凹部の底にも流れ落ちる。そのため、凹部の形状に基づいたメニスカスが液体に形成される。メニスカスによって液体の表面が広がるから、つまり液体と気体との相界面である気液界面の面積が広がるから、速い熱速度で液体を加熱したものとしても液体内部において気化を抑制し、液体の界面において迅速に気化が生じる。つまり、液体内部に気泡の発生を抑えるので、気液界面よりも気体側においても突発的な圧力上昇を最小限に留める。そのため、気化器本体内において気化した気体を安定した速度で供給することができる。
また、より速い熱速度で液体を加熱することができるから、液体の気化速度を高めることができる。
【０００９】
請求項３に記載の発明は、液体が流入される内部空間を形成する壁面を有し、前記壁面には、接触している液体にメニスカスを形成する複数の凹部が設けられていることを特徴とする。
【００１０】
請求項３に記載の発明では、液体にメニスカスを形成する凹部が設けられているため、気液界面の面積を増大することができ液体内で気泡の発生を抑えることができる。
【００１１】
また、上記気化器は、前記気化器本体を加熱する加熱手段が前記気化器本体に設けられていてもよい。
【００１２】
このため、加熱手段によって気化器本体が加熱されると、気化器本体内に流入した液体も加熱される。
【００１３】
また、上記気化器は、仕切り壁が前記内部空間内に配置され、前記内部空間が前記仕切り壁により二つの空間に仕切られ、前記二つの空間のうちの一方から他方に通じる貫通孔が前記仕切り壁に形成されていてもよい。
【００１４】
このため、仕切り壁によって仕切られた内部空間のうち一方の空間に液体が流入すると、その空間において気化し、気体が貫通孔を通じてもう一方の空間に流動する。
なお、複数の凹部は、二つの空間のうち液体が流入される空間を形成した壁面に形成されていることが望ましい。
【００１５】
また、上記気化器は、前記仕切り壁が、前記複数の凹部が形成された壁面に対向していてもよい。
【００１６】
このため、二つの空間のうち一方の空間に液体が流入すると、液体が凹部の底にも流れ落ちて気化し、気化した気体は貫通孔を通じてもう一方の空間に流動する。
【００１７】
また、上記気化器は、前記貫通孔が前記仕切り壁に複数形成されていてもよい。
【００１８】
したがって、貫通孔が複数形成されているため、一方の空間で気化した気体がこれら貫通孔を通じて効率よく他方の空間へ流動する。
【００１９】
また、上記気化器は、前記複数の貫通孔が前記複数の凹部に対して一対一で相対していてもよい。。
【００２０】
このため、二つの空間のうち一方の空間に液体が流入すると、液体が凹部の底にも流れ落ちて気化し、気化した気体はその凹部に相対する貫通孔を通じてもう一方の空間に流動する。
【発明の効果】
【００２１】
本発明によれば、液体の気化速度を下げることなく、気化器本体内において気化した気体を安定した速度で供給することができる。
【発明を実施するための最良の形態】
【００２２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２３】
図１は、本発明を適用した実施形態における微小な気化器５を搭載した小型の発電装置１のブロック図である。
【００２４】
図１に示すように、発電装置１は、燃料と水を貯留した燃料容器２と、燃料容器２から供給された燃料と水から水素を生成する反応装置３と、反応装置３で生成された水素の電気化学反応により電気エネルギーを生成する燃料電池４と、を備える。
【００２５】
燃料容器２内に貯留された燃料は、メタノール、エタノール等のアルコール類やガソリンといった組成に水素を含む化合物が適用可能である。燃料と水は液体状態で別々に燃料容器２に貯蔵されても良いし、混合された状態で燃料容器２に貯蔵されても良い。本実施形態では、燃料としてメタノールを用いている。
【００２６】
反応装置３は、燃料容器２から供給された燃料と水を気化させる気化器５と、化学反応式（１）、（２）に示すように気化器５から供給された燃料と水の混合気を水素に改質する改質器６と、化学反応式（３）に示すように改質器６で生成された生成物の混合気中の一酸化炭素を酸化させることによって一酸化炭素を除去する一酸化炭素除去器７と、を備える。
ＣＨ3ＯＨ＋Ｈ2Ｏ→３Ｈ2＋ＣＯ2  …（１）
２ＣＨ3ＯＨ＋Ｈ2Ｏ→５Ｈ2＋ＣＯ＋ＣＯ2  …（２）
２ＣＯ＋Ｏ2→２ＣＯ2  …（３）
【００２７】
燃料電池４は、触媒微粒子を担持した燃料極と、触媒微粒子を担持した空気極と、燃料極と空気極との間に介在されたフィルム状の固体高分子電解質膜と、を備える。燃料電池４の燃料極には、一酸化炭素除去器７から生成物の混合気が供給され、燃料電池４の空気極には、外部から空気が供給される。燃料極においては、電気化学反応式（４）に示すように、混合気中の水素が燃料極の触媒微粒子の作用を受けて水素イオンと電子とに分離する。水素イオンは固体高分子電解質膜を通じて酸素極に伝導し、電子は燃料極により取り出される。酸素極においては、電気化学反応式（５）に示すように、酸素極に移動した電子と、空気中の酸素と、固体高分子電解質膜を通過した水素イオンとが反応して水が生成される。
Ｈ2→２Ｈ+＋２ｅ-  …（４）
２Ｈ+＋１／２Ｏ2＋２ｅ-→Ｈ2Ｏ  …（５）
【００２８】
この発電装置１は、デスクトップ型パーソナルコンピュータ、ノート型パーソナルコンピュータ、携帯電話機、ＰＤＡ（Personal Digital Assistant）、電子手帳、腕時計、デジタルスチルカメラ、デジタルビデオカメラ、ゲーム機器、遊技機、家庭用電気機器、その他の電子機器に備え付けられたものであり、電子機器本体を動作させるための電源として用いられる。
【００２９】
図２を用いて気化器５について詳細に説明する。ここで、図２は、厚さ方向に平行な切断面を示した気化器５の縦断面図である。
【００３０】
図２に示すように、気化器５は、シリコン結晶、アルミニウム、ガラス等の材料から平板状に形成された三枚の基板１１，１２，１３をこの順に積み重ねて接合したスタック構造１４を有する。このスタック構造１４が、気化器本体である。一例として基板１１及び基板１３として１．１ｍｍ厚のガラス基板を用い、基板１２として０．７ｍｍのシリコン基板を用いた。
【００３１】
図３は、図２の切断線III−IIIに沿って切断した断面であって矢印方向に見た断面の図であって、特に第一基板１１の接合面を示した図面である。図２の切断面は、図３等の切断線II−IIに沿って切断した切断面である。以下の説明で「平面視して」とは、「スタック構造１４を上又は下から基板１１，１２，１３の厚さ方向に見て」という意味である。
【００３２】
図２、図３に示すように、第一基板１１の第二基板１２との接合面（図２において第一基板１１の上面）には、平面視して四角形状の凹部２１が形成され、更にその接合面には溝２２が形成されている。この溝２２の長手方向一端部が凹部２１の４つの側壁のうち１つの側壁の一部を開口し、溝２２が凹部２１に連続した状態に設けられている。一例として、凹部２１の深さを０．１ｍｍとした。
【００３３】
凹部２１の底面には、平面視して円形状であって円柱形状の空隙となる複数の凹部２３，２３，…が形成されている。凹部２３，２３，…は、凹部２１の底面において二次元アレイ状に配列されている。凹部２３，２３，…は円形の底部を有しており、第一基板１１の接合面と反対面まで貫通していない。各凹部２３は後述するように供給される液体がその表面張力によって各凹部２３の底部に沿った内縁でメニスカスを形成するような形状となっている。一例として、凹部２３の内直径を０．２ｍｍとし、凹部２３の深さを０．１ｍｍとした。なお、凹部２３の数は特に限定されないが、多いほど望ましい。
【００３４】
図２に示すように、第一基板１１の接合面とは反対面の面には、平面視して葛折り状にパターニングされた発熱抵抗体である薄膜ヒータ３１が形成されている。薄膜ヒータ３１は電気的特性（例えば、抵抗値）が温度に依存する電熱材からなる。薄膜ヒータ３１は電力を与えられると発熱し、薄膜ヒータ３１の電気的特性を測定することにより薄膜ヒータ３１の温度を測定できるよう設けられている。
【００３５】
図４は、図２の切断線IV−IVに沿って切断した断面であって矢印方向に見た断面の図である。図２、図４に示すように、第二基板１２には、第一基板１１との接合面（図２において第二基板１２の下面）から第三基板１３との接合面（図２において第二基板１２の上面）まで貫通した複数の貫通孔２４，２４，…が形成されている。貫通孔２４，２４，…は第二基板１２の接合面においてマトリクス状に配列されている。更に、平面視して１つの貫通孔２４につき１つの凹部２３が重なっており、貫通孔２４，２４，…は凹部２３，２３，…に対して一対一の関係で相対している。また、何れの貫通孔２４の内直径も、相対する凹部２３の内直径に等しい。
【００３６】
更に、第二基板１２には、第一基板１１の溝２２に相対する位置において第二基板１２の上面から下面まで貫通した流入孔２５が形成されている。
【００３７】
図５は、図２の切断線V−Vに沿って切断した断面であって矢印方向に見た断面の図であって、特に第三基板１３の接合面を示した図面である。図２、図５に示すように、第三基板１３の第二基板１２との接合面（図２において第三基板１３の下面）には、平面視して四角形状の凹部２６が形成され、更にその接合面には溝２７が形成されている。
【００３８】
凹部２６は、第一基板１１に形成された凹部２１に対して第二基板１２に関して面対称に設けられている。従って、平面視して凹部２６内には凹部２３，２３，…及び貫通孔２４，２４，…が配されている。
【００３９】
溝２７の長手方向一端部は凹部２６の４つの側壁のうち１つの側壁の一部を開口し、溝２７が凹部２６に連続した状態に設けられている。溝２７の底には、第三基板１３の接合面とは反対の面にまで貫通した排出孔２８が形成されている。排出孔２８には排出管３２が挿入されている。排出管３２の一端部は第二基板１２にまで到達せず、溝２７の底まで到達している。排出管３２の他端部は、改質器６に接続されている。
【００４０】
第三基板１３には、第二基板１２の流入孔２５に相対する位置において第三基板１３の上面から下面まで貫通した流入孔２９が形成されており、流入孔２９が流入孔２５に対して連続した状態に設けられている。流入孔２９及び流入孔２５には流入管３３が挿入されている。流入管３３の第一基板１１の溝２２の底まで到達せず、第一基板１１と第二基板１２との接合面まで到達している。流入管３３の他端部は、燃料容器２に接続されている。
【００４１】
図２に示すように、第一基板１１及び第三基板１３が第二基板１２のそれぞれの面に接合されることで、凹部２１が室（薄型直方体状の内部空間）として設けられ、凹部２６が室（薄型直方体状の内部空間）として設けられる。また、第二基板１２は、仕切り壁として、凹部２１による室と凹部２６による室を仕切っており、これら室は、貫通孔２４，２４，…によって通じている。
【００４２】
次に、気化器５の動作について説明する。
薄膜ヒータ３１が電力により発熱し、気化器５が所定の温度になるように加熱される。この状態で、燃料容器２内の燃料と水との混合液が流入管３３を通じて溝２２に流入し、更に凹部２１に流入する。凹部２１に流入した混合液が凹部２１内を広がる。凹部２１で広がった混合液は凹部２３，２３，…の底に流れ落ち、図６に示すように凹部２３の側壁から凹部２３の側壁にかけて沿った状態の凹状メニスカス９９が形成される。ここで、図６は、１つの凹部２３及びその周辺を拡大して示した断面図である。
【００４３】
このような凹状メニスカス９９が形成されるために、単位体積当たりの混合液の表面積が増大するので、混合液の気相との界面面積が増大し混合液は気化されやすくなる。したがって、凹部２１に流入して広がった混合液は薄膜ヒータ３１のより加熱されて気化する際に、特に凹状メニスカス９９のうち凹部２３の内縁に沿った微小領域９８において強い（速い気化速度の）気化が生じる。
【００４４】
凹部２１、凹部２３，２３，…において気化した燃料と水の混合気は、貫通孔２４，２４，…を通って凹部２６へ流入する。気体は、液体に比べて体積が著しく膨張しているので、凹部２６内において気圧が上昇し、その圧力によって凹部２６から溝２７、排出管３２を通って改質器６へ流れる。
【００４５】
以上のように、本実施形態によれば、凹部２１の底面に凹部２３，２３，…が形成されているので、燃料容器２から凹部２１内に流入した燃料と水の混合液は、凹部２３，２３，…の形状に基づいた凹状メニスカス９９を形成する。凹状メニスカス９９によって混合液の気相との界面面積が広がるから、より速い熱速度で混合液を加熱したものとしても混合液内部において気化が生じず、混合液の気相との界面において気化が生じる。また、混合液内部において気泡が生じないから、より速い熱速度で混合液を加熱することができるから、混合液の気化速度を高めることができる。
【００４６】
なお、本発明は、上記実施の形態に限定されることなく、本発明の趣旨を逸脱しない範囲において、種々の改良並びに設計の変更を行っても良い。
【００４７】
上記実施形態では第一基板１１と第三基板１３との間に第二基板１２が挟持されているが、図７に示した気化器１０５のように第一基板１１と第三基板１３との間に基板が介在せずに、第一基板１１が第三基板１３に直接接合されても良い。この場合、第一基板１１と第三基板１３が接合してなる接合構造が、気化器本体である。また、凹部２６が接合面に関して凹部２１に対して面対称であるから、凹部２１及び凹部２６によって薄い直方体状の室（内部空間）が形成される。なお、第二基板１２の有無が気化器１０５と気化器５との異なる点であり、その他の部分は同じように構成されており、図１に発電装置１においては気化器５の代わりに気化器１０５を設けても良い。そのため、図７では、気化器１０５において、図２に示された気化器５の何れかの部分に対応する部分に対して同一の符号を付し、対応する部分についての説明は省略する。
【００４８】
また、上記実施形態では第二基板１２に形成された貫通孔２４，２４，…が凹部２３，２３，…に対して一対一の関係で相対しているが、図８に示した気化器２０５のように第二基板１２に形成された貫通孔２２４，２２４，…が凹部２３，２３，…に対して相対していなくても良い。図８では、貫通孔２２４の内直径が凹部２３の内直径よりも小さく、更に貫通孔２２４，２２４，…の点在密度が凹部２３，２３，…の点在密度よりも大きくなっている。貫通孔２２４の内直径が凹部２３の内直径と同じか又は大きい場合であっても、貫通孔２２４，２２４，…の点在密度が凹部２３，２３，…の点在密度よりも大きくても良い。更には、貫通孔２２４の内直径と凹部２３の内直径の大小に関わらず、貫通孔２２４，２２４，…の点在密度が凹部２３，２３，…の点在密度よりも小さくても良い。なお、貫通孔２２４，２２４，…が凹部２３，２３，…に対して一対一の関係で相対していないことが、気化器１０５と気化器５との異なる点であり、その他の部分は同じように構成されており、図１に発電装置１においては気化器５の代わりに気化器２０５を設けても良い。そのため、図８では、気化器２０５において、図２に示された気化器５の何れかの部分に対応する部分に対して同一の符号を付し、対応する部分についての説明は省略する。
【００４９】
また、凹部２１の底面にメニスカス９９を形成する凹部として上記実施形態のように平面視して円形状の凹部２３の代わりに、例えば、平面視して三角形状、四角形状、その他の多角形状や楕円形や幾何学形状といった円形以外の形状の凹部２３であってもよい。メニスカス９９を形成する凹部２３の容積に対してメニスカス９９を形成する凹部２３での気液界面面積がより大きくなるような形状の方が、基板１１からの熱が伝搬しやすく且つ気液界面の面積が大きくなるため好ましい。
【００５０】
また、図９に示すように、凹部２３の代わりに凹部３２３を凹部２１の底に設けても良い。凹部３２３の空洞はその底に向かうにつれて開口面積が拡開していくような円錐台又は角錐台を呈しており、また凹部３２３の底面が凹部２１の底面と平行でなくてもよい。
【００５１】
また、図１０に示すように、凹部２３の代わりに凹部４２３を凹部２１の底に設けても良い。凹部４２３の空洞はその底面に向かうにつれて開口面積が狭くなっていくような円錐台又は角錐台を呈しており、また凹部２３の底面が凹部２１の底面と平行でなくてもよい。
【００５２】
また、図１１に示すように、凹部２３の代わりに凹部５２３を設けても良い。凹部４２３の空洞は、壁が曲面で形成された椀状を呈している。
【００５３】
また、図１２に示すように、凹部２３の代わりに凹部６２３を凹部２１の底に設けても良い。凹部６２３の空洞は円柱状を停止、凹部６２３の底面に複数の突起部６９７，６９７，…が形成されている。この場合、凹部６２３の底面上での混合液が突起部６９７の形状に沿っているためにより気液界面面積を増大し迅速に気化することができる。
【００５４】
また、上記各実施形態では、気化器本体（気化器５，２０５の場合には、スタック構造１４であり、気化器１０５の場合には、第一基板１１と第三基板１３を接合した接合構造である。）を加熱する加熱手段としての薄膜ヒータ３１が第一基板１１の接合面とは反対の面に形成されているが、第三基板１３の接合面とは反対の面に薄膜ヒータが形成されていても良いし、凹部２１，２６の内壁面に薄膜ヒータが形成されていても良い。更には、加熱手段は電気的に発熱する薄膜ヒータ３１に限定されず、燃料を燃焼して発熱する燃焼器であっても良い。燃焼器は内部空間を形成した燃焼容器を有し、その燃焼容器は気化器本体に接合されているか又は気化器本体に対して一体化して設けられており、燃焼容器内の内部空間内に燃焼触媒が形成されている。そして、燃料容器２内の液体燃料（水は含まれていない。）が別の気化器（気化器５，１０５，２０５と同様に構成されていても良い。）で気化され、気化した燃料が酸素（空気）と混合された状態で燃焼容器内に供給され、燃焼容器内において燃料が燃焼触媒によって酸化して燃焼する。これにより、燃焼熱が発し、その燃焼熱が気化器本体に伝搬されて気化器が加熱される。燃焼器を用いた場合、薄膜ヒータ３１が無くても良いが、温度微調整のために補助的に薄膜ヒータ３１で気化器本体を加熱するのが望ましい。
【００５５】
また、凹部２６の底面（天井）に凹部２３のような凹部が複数形成されていても良い。
【００５６】
また、上記実施形態における発電装置１では、気化器５，１０５，２０５が燃料と水の混合液を気化させるものとして用いたが、気化器５，１０５，２０５の何れかで液体燃料を気化させ、別の気化器５，１０５，２０５の何れかで液状の水を気化させ、その後気化した燃料と水を混合させて改質器６に供給するようにしても良い。
【００５７】
また、気化器５，１０５，２０５の用途として発電装置１を例に挙げ、気化器５，１０５，２０５で液体燃料、液状の水、又は、液体燃料と水の混合液を気化させるものとしたが、気化器５，１０５，２０５を他の用途に用いて、気化器５，１０５，２０５で他の液体を気化させても良い。
【図面の簡単な説明】
【００５８】
【図１】発電装置１のブロック図である。
【図２】気化器５の縦断面図である。
【図３】図２の切断線III−IIIに沿った断面図である。
【図４】図２の切断線IV−IVに沿った断面図である。
【図５】図２の切断線V−Vに沿った断面図である。
【図６】凹部２３及びその周辺を拡大して示した断面図である。
【図７】気化器１０５の縦断面図である。
【図８】気化器２０５の縦断面図である。
【図９】凹部２３の別例の凹部３２３及びその周辺を拡大して示した断面図である。
【図１０】凹部２３の別例の凹部４２３及びその周辺を拡大して示した断面図である。
【図１１】凹部２３の別例の凹部５２３及びその周辺を拡大して示した断面図である。
【図１２】凹部２３の別例の凹部６２３及びその周辺を拡大して示した断面図である。
【符号の説明】
【００５９】
５  気化器
１２  第二基板（仕切り壁）
１４  スタック構造（気化器本体）
２３、３２３、４２３、５２３、６２３  凹部
２４  貫通孔
【図１】
2005324088.tif 000003
【図２】
2005324088.tif 000004
【図３】
2005324088.tif 000005
【図４】
2005324088.tif 000006
【図５】
2005324088.tif 000007
【図６】
2005324088.tif 000008
【図７】
2005324088.tif 000009
【図８】
2005324088.tif 000010
【図９】
2005324088.tif 000011
【図１０】
2005324088.tif 000012
【図１１】
2005324088.tif 000013
【図１２】
2005324088.tif 000014